【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
基地局における非直交多元接続（ＮＯＭＡ）通信の方法であって、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層でオーバーレイされる、
復調−基準信号を備える基準信号を送信することと、ここにおいて、前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップする、
前記第１のＵＥのエンハンスメント層復調−基準信号および前記第２のＵＥの復調−基準信号を、チャネル推定または干渉推定のうちの少なくとも１つのために使用することと
を備える、方法。
【請求項２】
前記基準信号はセル−固有の基準信号を備える、請求項１に記載の方法。
【請求項３】
前記第１のＵＥがＮＯＭＡ通信におけるベース層ＵＥであるときに前記第１のＵＥが従うべき第１のＵＥのトラフィック電力比を送信することをさらに備える、請求項２に記載の方法。
【請求項４】
前記第１のＵＥを４相位相変調（ＱＰＳＫ）を使用する変調および符号化スキームに限定するための信号を送信することをさらに備える、請求項１に記載の方法。
【請求項５】
第１のＵＥの復調−基準信号に対する第１のＵＥのトラフィック電力比は、０ｄＢである、請求項１に記載の方法。
【請求項６】
前記第１のＵＥのためのトラフィック電力比は、前記復調−基準信号に対して０ｄＢであり、前記第２のＵＥのトラフィック電力比は、前記エンハンスメント層復調−基準信号に対して０ｄＢである、請求項１に記載の方法。
【請求項７】
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することをさらに備え、ここにおいて、前記第１のＵＥはベース層ＵＥを備え、前記第２のＵＥはエンハンスメント層ＵＥを備える、請求項１に記載の方法。
【請求項８】
第１のユーザ機器（ＵＥ）における非直交多元接続（ＮＯＭＡ）通信の方法であって、前記第１のＵＥはＮＯＭＡ通信のために構成されており、前記方法は、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層でオーバーレイされる、
復調−基準信号を備える基準信号を受信することと、ここにおいて、前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップする、
前記第１のＵＥのエンハンスメント層復調−基準信号および前記第２のＵＥの復調−基準信号を、チャネル推定または干渉推定のうちの少なくとも１つのために使用することと、および
前記第２のＵＥのための前記第１のデータリソースエレメントをキャンセルし、前記第１のＵＥのための前記データを復号することと
を備える、方法。
【請求項９】
前記基準信号はセル−固有の基準信号を備える、請求項８に記載の方法。
【請求項１０】
前記第２のＵＥがＮＯＭＡ通信におけるベース層ＵＥであるときに前記第２のＵＥが従うべき第２のＵＥのトラフィック電力比を受信することをさらに備える、請求項９に記載の方法。
【請求項１１】
前記セル−固有の基準信号を使用して前記第１のデータリソースエレメントを復調することと、前記第２のＵＥのトラフィック電力比とは区別された別個のトラフィック電力比を使用して前記第２のＵＥのための第２のデータを復調することと、をさらに備える、請求項１０に記載の方法。
【請求項１２】
前記復調−基準信号は、第１のＵＥの復調−基準信号を備える、請求項８に記載の方法。
【請求項１３】
非直交多元接続（ＮＯＭＡ）通信のための基地局であって、
メモリと、および
前記メモリに結合された少なくとも１つのプロセッサと、を備え、前記少なくとも１つのプロセッサは、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、
基準信号を送信することと、および
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することと、ここにおいて、前記第１のＵＥはベース層ＵＥを備え、前記第２のＵＥはエンハンスメント層ＵＥを備える
を行うように構成される、基地局。
【請求項１４】
前記基準信号はセル−固有の基準信号を備える、請求項１３に記載の基地局。
【請求項１５】
前記プロセッサは、前記第１のＵＥがＮＯＭＡ通信におけるベース層ＵＥであるときに前記第１のＵＥが従うべき前記第１のＵＥのためのトラフィック電力比を送信するようにさらに構成される、請求項１４に記載の基地局。
【請求項１６】
前記プロセッサは、前記第１のＵＥを４相位相変調（ＱＰＳＫ）を使用する変調および符号化スキームに限定するための信号を送信するようにさらに構成される、請求項１３に記載の基地局。
【請求項１７】
前記基準信号は、復調−基準信号を備える、請求項１３に記載の基地局。
【請求項１８】
前記第１のＵＥのための復調−基準信号で除算された第１のＵＥのトラフィック電力比は０ｄＢである、請求項１７に記載の基地局。
【請求項１９】
前記復調−基準信号は、第２のＵＥのエンハンスメント層復調−基準信号および第１のＵＥの復調−基準信号を備え、ここにおいて、前記第２のＵＥのエンハンスメント層復調−基準信号および前記第１のＵＥの復調−基準信号、請求項１７に記載の基地局。
【請求項２０】
前記第１のＵＥのためのトラフィック電力比は前記復調−基準信号に対して０ｄＢであり、前記第２のＵＥのトラフィック電力比はエンハンスメント層復調−基準信号に対して０ｄＢである、請求項１７に記載の基地局。
【請求項２１】
ＮＯＭＡ通信のために構成された第１のユーザ機器（ＵＥ）を備える装置であって、前記第１のＵＥは、
メモリと、および
前記メモリに結合された少なくとも１つのプロセッサと、を備え、前記少なくとも１つのプロセッサは、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層でオーバーレイされる、
基準信号を受信することと、
前記第２のＵＥのための前記第１のデータリソースエレメントをキャンセルし、前記第１のＵＥのための前記データを復号することと、
前記第２のＵＥがＮＯＭＡ通信におけるベース層ＵＥであるときに前記第２のＵＥが従うべき前記第２のＵＥのためのトラフィック電力比を受信することと、および
前記セル−固有の基準信号を使用して前記第１のデータリソースエレメントを復調し、前記第２のＵＥのトラフィック電力比とは区別された別個のトラフィック電力比を使用して第２のＵＥのための第２のデータを復調することと
を行うように構成される、装置。
【請求項２２】
前記基準信号は、セル−固有の基準信号を備える、請求項２１に記載の装置。
【請求項２３】
前記基準信号は、復調−基準信号を備える、請求項２１に記載の装置。
【手続補正２】
【補正対象書類名】明細書
【補正対象項目名】０１９７
【補正方法】変更
【補正の内容】
【０１９７】
[00209］先の説明は、当業者に、本明細書において説明された様々な態様の実現を可能にさせるために提供されている。これらの態様への様々な変更は、当業者には容易に明らかになり、本明細書で定義される包括的な本質は、他の態様に適用され得る。よって、請求項は、本明細書で指し示される態様に限定されることは意図されておらず、しかし請求項の用語と一貫する全ての範囲が与えられるべきであり、ここにおいて単数形の要素への参照は、特別にそのように述べられない限り「１つおよびただ１つ」を意味するように意図されず、むしろ「１つ以上の」を意味するように意図される。用語「例示的」は、本明細書において、「例、事例、または実例としての役割を果たす」という意味で使用される。「例示的」なものとして本明細書において説明される任意の態様は、必ずしも、他の態様よりも好ましい、または利点を有するものと解釈されるべきではない。そうでないことが特に述べられていない限り、用語「いくつかの」は、１つ以上のことを指している。「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含み得る。特に、「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣの１つ以上のメンバーあるいは複数のメンバーを含み得る。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらにまた、本明細書において開示されたものが、特許請求の範囲中に明示的に列挙されているか否かにかかわらず、公共に捧げられることを意図していない。用語「モジュール」、「メカニズム」、「エレメント」、「デバイス」、およびそのようなものは、用語「手段」の代わりではないであろう。そのようであるので、どの特許請求の範囲の要素も、要素が「のための手段」というフレーズを明確に使用して記載されていない限り、手段プラス機能（means plus function）として解釈されるべきではない。
以下に本願の出願当初の特許請求の範囲に記載された発明を付記する。
［Ｃ１］
基地局における非直交多元接続（ＮＯＭＡ）通信の方法であって、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を備える、方法。
［Ｃ２］
前記基準信号はセル−固有の基準信号を備える、Ｃ１に記載の方法。
［Ｃ３］
前記第１のＵＥがＮＯＭＡ通信におけるベース層ＵＥであるときに前記第１のＵＥが従うべき第１のＵＥのトラフィック電力比を送信することをさらに備える、Ｃ２に記載の方法。
［Ｃ４］
前記第１のＵＥを４相位相変調（ＱＰＳＫ）を使用する変調および符号化スキームに限定するための信号を送信することをさらに備える、Ｃ１に記載の方法。
［Ｃ５］
第１のＵＥの復調−基準信号に対する第１のＵＥのトラフィック電力比は、０ｄＢである、Ｃ１に記載の方法。
［Ｃ６］
前記基準信号は復調−基準信号を備える、Ｃ１に記載の方法。
［Ｃ７］
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、Ｃ６に記載の方法。
［Ｃ８］
前記第１のＵＥのためのトラフィック電力比は、前記復調−基準信号に対して０ｄＢであり、前記第２のＵＥのトラフィック電力比は、前記エンハンスメント層復調−基準信号に対して０ｄＢである、Ｃ７に記載の方法。
［Ｃ９］
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することをさらに備え、ここにおいて、前記第１のＵＥはベース層ＵＥを備え、前記第２のＵＥはエンハンスメント層ＵＥを備える、Ｃ１に記載の方法。
［Ｃ１０］
第１のユーザ機器（ＵＥ）における非直交多元接続（ＮＯＭＡ）通信の方法であって、前記第１のＵＥはＮＯＭＡ通信のために構成されており、前記方法は、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと
を備える、方法。
［Ｃ１１］
前記基準信号はセル−固有の基準信号を備える、Ｃ１０に記載の方法。
［Ｃ１２］
前記第２のＵＥがＮＯＭＡ通信におけるベース層ＵＥであるときに前記第２のＵＥが従うべき第２のＵＥのトラフィック電力比を受信することをさらに備える、Ｃ１１に記載の方法。
［Ｃ１３］
前記セル−固有の基準信号を使用して前記第１のデータリソースエレメントを復調することと、前記第２のＵＥのトラフィック電力比とは区別された別個のトラフィック電力比を使用して前記第２のＵＥのための第２のデータを復調することと、をさらに備える、Ｃ１２に記載の方法。
［Ｃ１４］
前記基準信号は、復調−基準信号を備える、Ｃ１０に記載の方法。
［Ｃ１５］
前記復調−基準信号は、第１のＵＥの復調−基準信号を備える、Ｃ１４に記載の方法。
［Ｃ１６］
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、Ｃ１４に記載の方法。
［Ｃ１７］
非直交多元接続（ＮＯＭＡ）通信のための基地局であって、
メモリと、および
前記メモリに結合された少なくとも１つのプロセッサと、を備え、前記少なくとも１つのプロセッサは、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を行うように構成される、基地局。
［Ｃ１８］
前記基準信号はセル−固有の基準信号を備える、Ｃ１７に記載の基地局。
［Ｃ１９］
前記少なくとも１つのプロセッサは、前記第１のＵＥがＮＯＭＡ通信におけるベース層ＵＥであるときに前記第１のＵＥが従うべき前記第１のＵＥのためのトラフィック電力比を送信するようにさらに構成される、Ｃ１８に記載の基地局。
［Ｃ２０］
前記少なくとも１つのプロセッサは、前記第１のＵＥを４相位相変調（ＱＰＳＫ）を使用する変調および符号化スキームに限定するための信号を送信するようにさらに構成される、Ｃ１７に記載の基地局。
［Ｃ２１］
前記基準信号は、復調−基準信号を備える、Ｃ１７に記載の基地局。
［Ｃ２２］
前記第１のＵＥのための復調−基準信号で除算された第１のＵＥのトラフィック電力比は０ｄＢである、Ｃ２１に記載の基地局。
［Ｃ２３］
前記復調−基準信号は、第２のＵＥのエンハンスメント層復調−基準信号および第１のＵＥの復調−基準信号を備え、ここにおいて、前記第２のＵＥのエンハンスメント層復調−基準信号および前記第１のＵＥの復調−基準信号、Ｃ２１に記載の基地局。
［Ｃ２４］
前記第１のＵＥのためのトラフィック電力比は前記復調−基準信号に対して０ｄＢであり、前記第２のＵＥのトラフィック電力比はエンハンスメント層復調−基準信号に対して０ｄＢである、Ｃ２１に記載の基地局。
［Ｃ２５］
前記少なくとも１つのプロセッサは、空間層が前記第１のＵＥおよび前記第２のＵＥによって共有されているとき、組み合わされたコンステレーションが一様であると限定されているとき、変調オーダーペアを使用してベース層電力からエンハンスメント層電力を決定するようにさらに構成され、ここにおいて、前記第１のＵＥはベース層ＵＥを備え、前記第２のＵＥはエンハンスメント層ＵＥを備える、Ｃ１７に記載の基地局。
［Ｃ２６］
ＮＯＭＡ通信のために構成された第１のユーザ機器（ＵＥ）を備える装置であって、前記第１のＵＥは、
メモリと、および
前記メモリに結合された少なくとも１つのプロセッサと、を備え、前記少なくとも１つのプロセッサは、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと、
を行うように構成される、装置。
［Ｃ２７］
前記基準信号は、セル−固有の基準信号を備える、Ｃ２６に記載の装置。
［Ｃ２８］
前記少なくとも１つのプロセッサは、前記第２のＵＥがＮＯＭＡ通信におけるベース層ＵＥであるときに前記第２のＵＥが従うべき前記第２のＵＥのためのトラフィック電力比を受信するようにさらに構成される、Ｃ２７に記載の装置。
［Ｃ２９］
前記少なくとも１つのプロセッサは、前記セル−固有の基準信号を使用して前記第１のデータリソースエレメントを復調し、前記第２のＵＥのトラフィック電力比とは区別された別個のトラフィック電力比を使用して第２のＵＥのための第２のデータを復調するようにさらに構成される、Ｃ２８に記載の装置。
［Ｃ３０］
前記基準信号は、復調−基準信号を備える、Ｃ２６に記載の装置。